【事件の表示】
　特願２００２−５６１５３２「ペンダント型サリチル酸基を有する高分子量ポリマー」拒絶査定不服審判事件〔平成１４年　８月　８日国際公開、ＷＯ２００２／６０９６６、平成１６年　９月２４日国内公表、特表２００４−５２９２１９〕について、次のとおり審決する。
【結　論】
　本件審判の請求は、成り立たない。
【理　由】
第１．手続の経緯
　本願は、平成１３年１２月１９日（優先権主張、平成１３年１月２９日、米国）を国際出願日とする出願であって、平成１９年７月３日付けで拒絶理由が通知され、同年１１月６日に意見書及び手続補正書が提出されたが、同年１２月１０日付けで拒絶査定がなされ、これに対して、平成２０年３月１２日に拒絶査定不服の審判が請求され、同年３月２１日に審判請求書の手続補正書（方式）及び手続補正書が提出され、同年８月１４日付けで前置報告がなされ、当審において平成２２年６月２９日付けで審尋がなされ、同年１０月６日に回答書が提出されたものである。
　
第２．本願発明について
　本願の請求項１〜６に係る発明は、平成２０年３月２１日付け手続補正書により補正された明細書（以下、「本願明細書」という。）の記載からみて、その特許請求の範囲の請求項１〜６に記載された事項により特定されるとおりのものであり、そのうち請求項１に係る発明（以下、「本願発明」という。）は、以下のとおりのものである。
　
「アクリルアミド／４−アクリルアミドサリチル酸溶液共重合体ではない、ペンダント型サリチル酸基を有し、式（１）で表される高分子量ポリマーであって、
　　【化１】
　（式（１）中、Ｍはアリールまたは塩基付加塩であり、Ｘは水素原子またはアシル基であり、Ａで表される基は、−ＮＯ２、−ＯＨ、−ＳＯ３Ｈで置換されていても良いアリール基である。）
　前記ポリマーが、１またはそれ以上のサリチル酸基を有するモノマーと、（メタ）アクリル酸および（メタ）アクリル酸アルキルエステルからなる群から選択される、１またはそれ以上のアクリレートモノマーをフリーラジカル重合することにより得たものであることを特徴とするポリマー。」
　
第３．原査定の拒絶の理由の概要
　原査定の拒絶の理由とされた平成１９年７月３日付け拒絶理由通知書に記載した拒絶の理由１．の概要は以下のとおりである。
　
「１．この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
　
　　　　　記　　　（引用文献等については引用文献等一覧参照）
Ａ．
・理由　　　　１、２
・請求項　　　１−７
・引用文献等　１
　
　　　　　　　　　　　　引　用　文　献　等　一　覧
１．特開平０８−３１９２５５号公報（以下、「刊行物１」という。）」
　
第４．原査定の拒絶の理由の妥当性についての判断
１．刊行物１の記載事項
　
ア．「【請求項１】
　下記一般式（１）で表されるアセチルサリチル酸誘導体もしくはその塩。
【化１】
　但し、一般式（１）において、Ｒ1 は水素原子又はメチル基、Ｒ2 は−Ｏ−又は−ＮＨ−、Ｗは水酸基、ハロゲン原子、炭素数１〜１０の低級アルコキシ基、炭素数２〜１０の低級アルケニルオキシ基、炭素数２〜１０の低級アルキニルオキシ基、炭素数３〜１０のシクロアルキルオキシ基、アリールオキシ基、アラルキルオキシ基、アシルオキシ基及び−Ｎ（Ｒ3 ）（Ｒ4 ）から選択され、Ｒ3 及びＲ4 はそれぞれ独立して水素原子、低級アルキル基、シクロアルキル基、アリール基、水酸基又はアルコキシ基を示し、前記低級アルコキシ基、低級アルケニルオキシ基、シクロアルキルオキシ基、アリールオキシ基、アラルキルオキシ基及びアシルオキシ基は水酸基、カルボキシル基、低級アルコキシ基、低級アルキル基、ハロゲン原子、ニトロ基及びアミノ基で置換されていてもよい。
　・・・
【請求項６】
　下記一般式（２）で表されるアセチルサリチル酸誘導体もしくはその塩を含有する高分子材料。
【化２】
　但し、一般式（２）において、Ｒ1 は水素原子又はメチル基、Ｒ2 は−Ｏ−又は−ＮＨ−で、Ｗは水酸基、炭素数１〜１０の低級アルコキシ基、炭素数２〜１０の低級アルケニルオキシ基、炭素数２〜１０の低級アルキニルオキシ基、炭素数３〜１０のシクロアルキルオキシ基、アリールオキシ基、アラルキルオキシ基、アシルオキシ基及び−Ｎ（Ｒ3 ）（Ｒ4 ）から選択され、Ｒ3 及びＲ4 はそれぞれ独立して水素原子、低級アルキル基、シクロアルキル基、アリール基、水酸基又はアルコキシ基を示し、前記低級アルコキシ基、低級アルケニルオキシ基、アルキニルオキシ基、シクロアルキルオキシ基、アリールオキシ基、アラルキルオキシ基及びアシルオキシ基は水酸基、カルボキシル基、低級アルコキシ基、低級アルキル基、ハロゲン原子、ニトロ基及びアミノ基で置換されていてもよく、ｎは整数である。
【請求項７】
　Ｗが水酸基、炭素数１〜６の低級アルコキシ基、アリールオキシ基及び−Ｎ（Ｒ3 ）（Ｒ4 ）から選択され、Ｒ3 及びＲ4 はそれぞれ独立して水素原子又は低級アルキル基である請求項６に記載のアセチルサリチル酸誘導体もしくはその塩を含有する高分子材料。
【請求項８】
　Ｗが水酸基、炭素数１〜４の低級アルコキシ基、フェノキシ基及び−Ｎ（Ｒ3 ）（Ｒ4 ）から選択され、Ｒ3 及びＲ4 が水素原子である請求項６に記載のアセチルサリチル酸誘導体もしくはその塩を含有する高分子材料。
【請求項９】
　Ｒ2 が−ＮＨ−で、Ｗが水酸基、炭素数１〜６の低級アルコキシ基、アリールオキシ基及び−Ｎ（Ｒ3 ）（Ｒ4 ）から選択され、Ｒ3 及びＲ4 はそれぞれ独立して水素原子又は低級アルキル基である請求項６に記載のアセチルサリチル酸誘導体もしくはその塩を含有する高分子材料。
【請求項１０】
　Ｒ2 が−ＮＨ−で、Ｗが水酸基、炭素数１〜４の低級アルコキシ基、フェノキシ基及び−Ｎ（Ｒ3 ）（Ｒ4 ）から選択され、Ｒ3 及びＲ4 が水素原子である請求項６に記載のアセチルサリチル酸誘導体もしくはその塩を含有する高分子材料。
【請求項１１】
　請求項６に記載のアセチルサリチル酸誘導体もしくはその塩を含有する重合体材料に、下記一般式（３）で表される単量体単位を含有してなるアセチルサリチル酸誘導体もしくはその塩を含有する高分子材料。
【化３】
　但し、一般式（３）において、Ｒ5 は水素原子、メチル基又はハロゲン原子、Ａは直接結合、酸素、−Ｃ（＝Ｏ）−Ｏ−、−Ｏ−Ｃ（＝Ｏ）−、−Ｎ（Ｒ6 ）−Ｃ（＝Ｏ）−、−Ｃ（＝Ｏ）−Ｎ（Ｒ6 ）−及び炭素数１〜３のアルキレン基から選択され、Ｒ6 は水素原子又は低級アルキル基で該低級アルキル基はアミノ基又はアルキルアミノ基で置換していてもよく、Ｂは水素原子、ハロゲン原子、アルキル基、アルケニル基、アルキニル基、炭素数３〜１０のシクロアルキル基、炭素数３〜１６のアリール基、ヘテロ原子の少なくとも一つが窒素原子又は酸素原子である１、２又は３個のヘテロ原子を含む４〜８員環のヘテロ環及びアラルキル基から選択され、前記Ｂのアルキル基、アルケニル基、アルキニル基、シクロアルキル基、アリール基、ヘテロ環及びアラルキル基は水酸基、カルボキシル基、低級アルコキシ基、低級アルコキシカルボニル基、低級アルキル基、ハロゲン原子、ニトロ基、アミノ基及びアルキルアミノ基で置換されていてもよく、ｍは整数である。
【請求項１２】
　Ｒ5 が水素原子、メチル基又は塩素原子、Ａが−Ｃ（＝Ｏ）−Ｏ−又は−Ｃ（＝Ｏ）−ＮＨ−で、Ｂが水素原子、炭素数１〜２０のアルキル基、炭素数１〜２０のアルケニル基、炭素数１〜２０のアルキニル基、炭素数３〜８のシクロアルキル基、炭素数５〜１２のアリール基及び１又は２個のヘテロ原子を含む５〜７員環のヘテロ環から選択される請求項１１に記載のアセチルサリチル酸誘導体もしくはその塩を含有する高分子材料。」（特許請求の範囲の請求項１及び６〜１２）
　
イ．「アリールオキシ基の用語はアリールエーテルラジカルを意味する。アリールの定義は前記と同じである。好適なアリールオキシ基の例としてはフェノキシ、トリルオキシ、キシリルオキシ、ナフチルオキシ等を挙げることができる。」（段落【００２４】）
　
ウ．「塩の用語は一般式（１）の化合物と塩基とを接触させて調製される塩を意味している。塩の例としてはナトリウム、カリウムのようなアルカリ金属、カルシウム、マグネシウム、アルミニウム、亜鉛のようなアルカリ土類金属等から調製された金属塩やテトラアルキルアミン、Ｎ，Ｎ−ジベンジルエチレンジアミン等から調製された有機塩が含まれる。これらの塩は、例えば適当な塩と対応する一般式（１）の化合物とを、それ自体公知の一般的な方法で反応させることによって調製することができる。」（段落【００２８】）
　
エ．「【化１０】
」（段落【００３０】）
　
オ．「式（I)の化合物は、従来公知の例えば２，２’−アゾビスイソブチロニトリル、ベンゾールパーオキサイド等の重合開始剤の存在下でのフリーラジカル重合法で重合することができる。また式（I)の化合物は、強塩基例えばリチウム、ナトリウムのようなアルカリ金属、アルミニウムリチウムハイドライドのような有機金属化合物の存在下に、陰イオン重合を行うこともできる。
　本発明のアセチルサリチル酸誘導体は、他の単量体と共重合することができる。共重合体はランダム共重合体、交互友重合体、ブロック共重合体、グラフト共重合体のいずれでもよい。共重合に好適な単量体には、ＣＨ2 ＝Ｃ（Ｒ5 ）−Ａ−Ｂで表される化合物が含まれる。Ｒ5 、Ａ及びＢは前記一般式（３）の場合と同じ意味である。」（段落【００３６】〜【００３７】）
　
カ．「単量体としては（メタ）アクリル酸誘導体を含むビニル単量体が挙げられる。（メタ）アクリル酸誘導体には、（メタ）アクリル酸、ナトリウム（メタ）アクリレートやカリウム（メタ）アクリレートのような（メタ）アクリル酸金属塩；メチル（メタ）アクリレート、オクチル（メタ）アクリレート、トリデシル（メタ）アクリレート及びオクタデシル（メタ）アクリレートのようなアルキル（メタ）アクリレート・・・等が包含される。」（段落【００３９】）
　
キ．「実施例１２〜１５
２−アセチル−５−メタクリルアミドサリチル酸重合体は、Ｎ，Ｎ−ジメチルホルムアミド（ＤＭＦ）中に目的とする組成の単量体を溶解し、フリーラジカル重合で製造した。開始剤として２，２−アゾビスイソブチロニトリル（ＡＩＢＮ）を使用し、重合反応は高真空下、４８時間行った。実施例１２〜１４では、２−アセチル−５−メタクリルアミドサリチル酸と２−ヒドロキシエチルメタクリレ−トを共重合させ、ランダム共重合体を得た。実施例１５では、２−アセチル−５−メタクリルアミドサリチル酸の単独重合を同様にして行い、ホモ重合体を得た。」（段落【００６６】）
　
ク．「【表２】
」（段落【００６８】の【表２】）
　
２．刊行物１に記載された発明
　摘示記載ア．には、一般式（２）（構造式省略）で表されるアセチルサリチル酸誘導体を含有する重合体に、下記一般式（３）（構造式省略）で表される単量体単位を含有してなるアセチルサリチル酸誘導体を含有する高分子重合体が記載されている。
　摘示記載ア．及びイ．には、一般式（２）において、Ｗがアリールオキシ基であることが記載されている。
　摘示記載ア．、エ．及びカ．から、一般式（３）（構造式省略）で表される単量体単位が、（メタ）アクリル酸又はアルキル（メタ）アクリレートであることが記載されているといえる。
　摘示記載ア．、エ．及びオ．〜キ．から、式（I)の化合物、すなわち一般式（１）で表されるアセチルサリチル酸誘導体と、ＣＨ2 ＝Ｃ（Ｒ5 ）−Ａ−Ｂで表される単量体である（メタ）アクリル酸又はアルキル（メタ）アクリレートとを、重合開始剤の存在下でのフリーラジカル重合法で重合することができることが記載されているといえる。
　
　そうすると、刊行物１には、「一般式（２）
　但し、一般式（２）において、Ｒ1 は水素原子又はメチル基、Ｒ2 は−Ｏ−又は−ＮＨ−で、Ｗはアリールオキシ基、ｎは整数である。
で表されるアセチルサリチル酸誘導体を含有する重合体に、（メタ）アクリル酸又はアルキル（メタ）アクリレートである単量体単位を含有してなるアセチルサリチル酸誘導体を含有する高分子重合体であって、一般式（１）
　但し、一般式（１）において、Ｒ1 は水素原子又はメチル基、Ｒ2 は−Ｏ−又は−ＮＨ−、Ｗはアリールオキシ基。
で表されるアセチルサリチル酸誘導体と、（メタ）アクリル酸又はアルキル（メタ）アクリレートとを、重合開始剤の存在下でのフリーラジカル重合法で重合することにより得られる高分子重合体。」の発明（以下、「引用発明１」という。）が記載されているといえる。
　
　さらに、摘示記載ア．には、一般式（１）で表されるアセチルサリチル酸誘導体の塩が記載されており、摘示記載ア．、エ．及びオ．〜キ．から、式（I)の化合物、すなわち一般式（１）で表されるアセチルサリチル酸誘導体の塩と、ＣＨ2 ＝Ｃ（Ｒ5 ）−Ａ−Ｂで表される単量体である（メタ）アクリル酸又はアルキル（メタ）アクリレートとを、重合開始剤の存在下でのフリーラジカル重合法で重合することにより得られる高分子重合体が記載されているといえる。
　
　そうすると、刊行物１には、「一般式（１）
　但し、一般式（１）において、Ｒ1 は水素原子又はメチル基、Ｒ2 は−Ｏ−又は−ＮＨ−、Ｗは水酸基、ハロゲン原子、炭素数１〜１０の低級アルコキシ基、炭素数２〜１０の低級アルケニルオキシ基、炭素数２〜１０の低級アルキニルオキシ基、炭素数３〜１０のシクロアルキルオキシ基、アリールオキシ基、アラルキルオキシ基、アシルオキシ基及び−Ｎ（Ｒ3 ）（Ｒ4 ）から選択され、Ｒ3 及びＲ4 はそれぞれ独立して水素原子、低級アルキル基、シクロアルキル基、アリール基、水酸基又はアルコキシ基を示し、前記低級アルコキシ基、低級アルケニルオキシ基、シクロアルキルオキシ基、アリールオキシ基、アラルキルオキシ基及びアシルオキシ基は水酸基、カルボキシル基、低級アルコキシ基、低級アルキル基、ハロゲン原子、ニトロ基及びアミノ基で置換されていてもよい。
で表されるアセチルサリチル酸誘導体の塩と、（メタ）アクリル酸又はアルキル（メタ）アクリレートとを、重合開始剤の存在下でのフリーラジカル重合法で重合することにより得られる高分子重合体。」の発明（以下、「引用発明２」という。）が記載されているといえる。
　
３．本願発明と引用発明１及び引用発明２との対比・判断
　まず、本願発明に係る「ペンダント型サリチル酸基を有し、式（１）で表される」の規定は、請求人の平成２２年１０月６日提出の回答書における主張、及び本願明細書の記載からみて、「式（１）で表されるペンダント型サリチル酸基」を意味するものと解されることから、本願発明に係る上記規定は「式（１）で表されるペンダント型サリチル酸基」と同義であると解釈して判断することとする。
　
　３−１．本願発明と引用発明１との対比・判断
　引用発明１における「アセチルサリチル酸誘導体」は、一般式（２）において、アセチルサリチル基が重合体の側鎖に位置していることからみて、本願発明における「ペンダント型サリチル酸基」に相当することは明らかである。
　
　次に、引用発明１の一般式（２）におけるアセチルサリチル基と本願発明の式（１）とを対比すると、引用発明１におけるサリチル基を構成するベンゼン環は、本願発明における「Ａで表される基」である「−ＮＯ２、−ＯＨ、−ＳＯ３Ｈで置換されていても良いアリール基」に相当し、引用発明１におけるＷはアリールオキシ基であるから、本願発明における「Ｍはアリール」である「-OM」に相当し、引用発明１における「-O-CO-CH3」は、本願発明における「Ｘはアシル基」である「-OX」に相当する。
　
　また、引用発明１における「一般式（１）（構造式省略）で表されるアセチルサリチル酸誘導体と、（メタ）アクリル酸又はアルキル（メタ）アクリレートとを、重合開始剤の存在下でのフリーラジカル重合法で重合すること」は、本願発明における「１またはそれ以上のサリチル酸基を有するモノマーと、（メタ）アクリル酸および（メタ）アクリル酸アルキルエステルからなる群から選択される、１またはそれ以上のアクリレートモノマーをフリーラジカル重合すること」に相当する。
　
　そして、引用発明１における「重合体」は、本願発明における「ポリマー」に相当するとともに、摘示記載ク．には、重量平均分子量が８５８００〜１００５００である共重合体が記載されていることからみて、本願明細書の段落【００２３】に記載されている「約１ｄＬ／ｇ以上のＲＳＶを有する」態様を包含するのは明らかであるといえることから、本願発明における「高分子量ポリマー」に相当するものであり、さらに「アクリルアミド／４−アクリルアミドサリチル酸溶液共重合体ではない」ことも明らかである。
　
　そうすると、本願発明と引用発明１とは、「アクリルアミド／４−アクリルアミドサリチル酸溶液共重合体ではない、ペンダント型サリチル酸基を有し、式（１）で表される高分子量ポリマーであって、
　　【化１】
　（式（１）中、Ｍはアリールであり、Ｘはアシル基であり、Ａで表される基は、−ＮＯ２、−ＯＨ、−ＳＯ３Ｈで置換されていても良いアリール基である。）
　前記ポリマーが、１またはそれ以上のサリチル酸基を有するモノマーと、（メタ）アクリル酸および（メタ）アクリル酸アルキルエステルからなる群から選択される、１またはそれ以上のアクリレートモノマーをフリーラジカル重合することにより得たものであることを特徴とするポリマー。」である点で一致しており、相違点はない。
　
　３−２．本願発明と引用発明２との対比・判断
　引用発明２における「アセチルサリチル酸誘導体の塩」は、一般式（１）（構造式省略）で表されるアセチルサリチル酸誘導体の塩と、（メタ）アクリル酸又はアルキル（メタ）アクリレートとを重合させることにより得られる重合体において、アセチルサリチル基が重合体の側鎖に位置することは明らかであることから、本願発明における「ペンダント型サリチル酸基」に相当することは明らかである。
　
　次に、引用発明２の一般式（１）におけるアセチルサリチル基と本願発明の式（１）とを対比すると、引用発明２におけるサリチル基を構成するベンゼン環は、本願発明における「Ａで表される基」である「−ＮＯ２、−ＯＨ、−ＳＯ３Ｈで置換されていても良いアリール基」に相当し、引用発明２における「-O-CO-CH3」は、本願発明における「Ｘはアシル基」である「-OX」に相当する。
　また、摘示記載ウ．には、塩の用語は一般式（１）の化合物と塩基とを接触させて調製される塩を意味することが記載されており、引用発明２における一般式（１）の化合物と塩基とを接触させると、サリチル酸基を構成するカルボキシル基が塩になる、すなわち-CO-Wが「-CO-O-塩基付加塩」となることが明らかであるから、引用発明２における「-CO-W」は、本願発明における「Ｍは塩基付加塩」である「-CO-OM」に相当することが明らかであるといえる。
　
　さらに、引用発明２における「一般式（１）（構造式省略）で表されるアセチルサリチル酸誘導体の塩と、（メタ）アクリル酸又はアルキル（メタ）アクリレートとを、重合開始剤の存在下でのフリーラジカル重合法で重合すること」は、本願発明における「１またはそれ以上のサリチル酸基を有するモノマーと、（メタ）アクリル酸および（メタ）アクリル酸アルキルエステルからなる群から選択される、１またはそれ以上のアクリレートモノマーをフリーラジカル重合すること」に相当する。
　
　そして、引用発明２における「重合体」は、本願発明における「ポリマー」に相当するとともに、摘示記載ク．には、重量平均分子量が８５８００〜１００５００である共重合体が記載されていることからみて、本願明細書の段落【００２３】に記載されている「約１ｄＬ／ｇ以上のＲＳＶを有する」態様を包含するのは明らかであるといえることから、本願発明における「高分子量ポリマー」に相当するものであり、さらに「アクリルアミド／４−アクリルアミドサリチル酸溶液共重合体ではない」ことも明らかである。
　
　そうすると、本願発明と引用発明２とは、「アクリルアミド／４−アクリルアミドサリチル酸溶液共重合体ではない、ペンダント型サリチル酸基を有し、式（１）で表される高分子量ポリマーであって、
　　【化１】
　（式（１）中、Ｍは塩基付加塩であり、Ｘはアシル基であり、Ａで表される基は、−ＮＯ２、−ＯＨ、−ＳＯ３Ｈで置換されていても良いアリール基である。）
　前記ポリマーが、１またはそれ以上のサリチル酸基を有するモノマーと、（メタ）アクリル酸および（メタ）アクリル酸アルキルエステルからなる群から選択される、１またはそれ以上のアクリレートモノマーをフリーラジカル重合することにより得たものであることを特徴とするポリマー。」である点で一致しており、相違点はない。
　
４．審判請求人の主張について
　請求人は、平成２０年３月２１日提出の手続補正書（方式）により補正された審判請求書の請求の理由において、
「本願発明と引用発明とは、共にポリマー主鎖にアセチルサリチル酸が吊り下がっている化合物である点について共通しています。
　ここで、引用発明は、上記式（Ａ）中、Ｗが、水酸基、炭素数１〜１０の低級アルコキシ基、炭素数２〜１０の低級アルケニルオキシ基、炭素数２〜１０の低級アルキニルオキシ基、炭素数３〜１０のシクロアルキルオキシ基、アリールオキシ基、アラルキルオキシ基、アシルオキシ基および−Ｎ（Ｒ３）（Ｒ４）から選択されるアセチルサリチル酸誘導体およびその塩です。これに対し、本願の後の手続補正書による請求項１に係る発明（以下、『本願第一発明』ということがあります。）は、上記式（１）においてＭがアリールまたは塩基付加塩であるため、引用発明における置換基Ｗに相当する部分−ＯＭが、引用発明のＷと相違しています。」と主張している。
　
　しかしながら、上記３．で検討したとおり、摘示記載ア．及びイ．には、Ｗがアリールオキシ基であることが記載されていることから、この場合は、引用発明における置換基Ｗと本願発明におけるＯＭが一致することは明らかであり、さらに、摘示記載ウ．には、塩の用語は一般式（１）の化合物と塩基とを接触させて調製される塩を意味することが記載されていることから、この場合についても、引用発明における置換基Ｗと本願発明におけるＯＭが一致することは明らかであり、よって、請求人の当該主張は採用できないものである。
　
第５．むすび
　以上のとおり、原査定の理由１は妥当なものであるから、本願は、原査定の理由により拒絶すべきものである。
　
　よって、結論のとおり審決する。